【手続補正書】
【提出日】平成19年3月5日(2007.3.5)
【手続補正１】
【補正対象書類名】明細書
【補正対象項目名】発明の名称
【補正方法】変更
【補正の内容】
【発明の名称】移動体装置、サーバ装置、データ送受信装置及び媒体
【手続補正２】
【補正対象書類名】明細書
【補正対象項目名】特許請求の範囲
【補正方法】変更
【補正の内容】
【特許請求の範囲】
【請求項１】
位置情報を取得する位置情報取得手段と、
上記位置情報取得手段により取得された上記位置情報を含む第１のリクエスト信号を生成する信号生成手段と、
データを入力する入力手段と、
外部装置との間で信号を通信する通信手段とを備え、
上記外部装置に対してデータを要求する際には、上記通信手段は、上記位置情報を含む第１のリクエスト信号を当該外部装置に送信すると共に、上記第１のリクエスト信号に応じて当該外部装置より返信されたデータを受信し、
上記外部装置に対してデータを提供する際には、上記通信手段は、当該外部装置より送信されてきた第２のリクエスト信号を受信すると共に、当該第２のリクエスト信号に応じて上記入力手段により入力された上記データを当該外部装置に返信することを特徴とする移動体装置。
【請求項２】
更に、上記位置情報より上記移動体装置本体の移動進路を予測する予測手段を備え、上記位置情報には上記移動進路の情報が含まれることを特徴とする請求項１記載の移動体装置。
【請求項３】
更に、過去に上記移動体装置が移動した複数の経路情報を記憶する蓄積装置を備え、
上記予測手段は、上記位置情報取得手段により取得された上記移動体装置の位置情報と重なる経路情報を上記複数の経路情報から抽出し、当該抽出された経路情報に基づいて上記移動体装置の移動進路を予測し、上記移動体装置の位置情報を上記予測された移動進路の情報に更新することを特徴とする請求項２記載の移動体装置。
【請求項４】
更に、上記第１のリクエスト信号に応じて受信した複数のデータから所望のデータを選択する選択手段を備えることを特徴とする請求項１記載の移動体装置。
【請求項５】
更に、上記外部装置への上記入力手段により入力されたデータの転送の可否を設定する設定手段を備えることを特徴とする請求項１記載の移動体装置。
【請求項６】
位置情報を取得する位置情報取得手段と、
上記位置情報取得手段により取得された位置情報を含む第１のリクエスト信号を生成する信号生成手段と、
データを入力する入力手段と、
外部装置又は他の移動体装置との間で信号を通信する通信手段とを備え、
他の移動体装置にて取得したデータを要求する際には、上記通信手段は、上記位置情報を含む第１のリクエスト信号を上記外部装置に送信すると共に、上記第１のリクエスト信号に応じて上記他の移動体装置より送信されたデータを受信し、
他の移動体装置に対してデータを提供する際には、上記外部装置より送信されてきた上記他の移動体装置に関する情報を含む第２のリクエスト信号を受信すると共に、当該第２のリクエスト信号に応じて上記入力手段により入力された上記データを上記他の移動体装置に返信する
ことを特徴とする移動体装置。
【請求項７】
更に、上記位置情報より上記移動体装置本体の移動進路を予測する予測手段を備え、上記位置情報には上記移動進路の情報が含まれることを特徴とする請求項６記載の移動体装置。
【請求項８】
更に、過去に上記移動体装置が移動した複数の経路情報を記憶する蓄積装置を備え、
上記予測手段は、上記位置情報取得手段により取得された上記移動体装置の位置情報と重なる経路情報を上記複数の経路情報から抽出し、当該抽出された経路情報に基づいて上記移動体装置の移動進路を予測し、上記移動体装置の位置情報を上記予測された移動進路の情報に更新することを特徴とする請求項７記載の移動体装置。
【請求項９】
更に、上記第１のリクエスト信号に応じて受信した複数のデータから所望のデータを選択する選択手段を備えることを特徴とする請求項６記載の移動体装置。
【請求項１０】
更に、上記他の移動体装置への上記入力手段により入力されたデータの転送の可否を設定する設定手段を備えることを特徴とする請求項６記載の移動体装置。
【請求項１１】
複数の移動体との間で信号の通信可能な通信手段と、
上記複数の移動体に関する情報を保持する保持手段と、
上記保持手段に保持されている複数の移動体に関する情報を用い、第１の移動体より送信されてきた第１のリクエスト信号に含まれる位置情報に応じた第２の移動体を検索する検索手段と、
上記検索された第２の移動体に送信する第２のリクエスト信号を生成する生成手段とを備え、
上記第２のリクエスト信号を上記検索された第２の移動体に送信すると共に、当該第２の移動体より返信されるデータを上記第１の移動体に返信する
ことを特徴とするサーバ装置。
【請求項１２】
更に、上記第２の移動体から返信された上記データを蓄積する蓄積手段を備えることを特徴とする請求項１１記載のサーバ装置。
【請求項１３】
上記蓄積手段に過去に蓄積されたデータから、上記第１のリクエスト信号に応じたデータを読み出して、上記第１の移動体に返信することを特徴とする請求項１２記載のサーバ装置。
【請求項１４】
上記検索手段は、上記第１のリクエスト信号に含まれる位置情報に基づいて上記第１の移動体の移動進路を予測し、上記予測した移動進路を用いて上記第２の移動体を検索することを特徴とする請求項１１記載のサーバ装置。
【請求項１５】
上記保持手段は、過去に上記第1の移動体が移動した複数の経路情報を記憶し、
上記検索手段は、上記第１のリクエスト信号に含まれる位置情報と重なる経路情報を上記複数の経路情報から抽出し、当該抽出された経路情報に基づいて上記第１の移動体の移動進路を予測し、上記予測した移動進路を用いて上記第２の移動体を検索することを特徴とする請求項１２記載のサーバ装置。
【請求項１６】  
上記検索手段は、上記第１のリクエスト信号に含まれる位置情報としての当該第１の移
動体の移動進路の情報に基づいて上記第２の移動体を検索することを特徴とする請求項１４記載のサーバ装置。
【請求項１７】
複数の移動体との間で信号の通信可能な通信手段と、
上記複数の移動体に関する情報を保持する保持手段と、
上記保持手段に保持されている複数の移動体に関する情報を用い、第１の移動体より送信されてきた第１のリクエスト信号に含まれる位置情報に応じた第２の移動体を検索する検索手段と、
上記検索された第２の移動体に送信する、上記第１の移動体に関する情報を含む第２のリクエスト信号を生成する生成手段とを備え、
上記第２のリクエスト信号を上記検索された第２の移動体に送信することを特徴とするサーバ装置。
【請求項１８】
上記検索手段は、上記第１のリクエスト信号に含まれる位置情報に基づいて上記第１の移動体の移動進路を予測し、上記予測した移動進路を用いて上記第２の移動体を検索することを特徴とする請求項１７記載のサーバ装置。
【請求項１９】
上記保持手段は、過去に上記第1の移動体が移動した複数の経路情報を記憶し、
上記検索手段は、上記第１のリクエスト信号に含まれる位置情報と重なる経路情報を上記複数の経路情報から抽出し、当該抽出された経路情報に基づいて上記第１の移動体の移動進路を予測し、上記予測した移動進路を用いて上記第２の移動体を検索することを特徴とする請求項１８記載のサーバ装置。
【請求項２０】  
上記検索手段は、上記第１のリクエスト信号に含まれる位置情報としての当該第１の移
動体の移動進路の情報に基づいて上記第２の移動体を検索することを特徴とする請求項１８記載のサーバ装置。
【請求項２１】
外部装置に対してデータを要求する際には、位置情報を取得し、
上記位置情報を含む第１のリクエスト信号を外部装置に送信し、
上記第１のリクエスト信号に応じて上記外部装置より返信されたデータを受信し、
外部装置に対してデータを提供する際には、上記外部装置より送信されてきた第２のリクエスト信号を受信し、
上記第２のリクエスト信号に応じて入力された上記データを上記外部装置に返信する
ことを特徴とするデータ送受信方法。
【請求項２２】
他の移動体装置にて取得したデータを要求する際には、位置情報を取得し、
上記位置情報を含む第１のリクエスト信号を外部装置に送信し、
上記第１のリクエスト信号に応じて上記他の移動体装置より送信されたデータを受信し、
上記他の移動体装置に対してデータを提供する際には、外部装置より送信されてきた上記他の移動体装置に関する情報を含む第２のリクエスト信号を受信し、
上記第２のリクエスト信号に応じて入力された上記データを上記他の移動体装置に返信する
ことを特徴とするデータ送受信方法。
【請求項２３】
複数の移動体に関する情報に応じて、第１の移動体より送信されてきた第１のリクエスト信号に含まれる位置情報に応じた第２の移動体を検索し、
上記検索された第２の移動体に送信する第２のリクエスト信号を生成し、
上記第２のリクエスト信号を上記検索された第２の移動体に送信し、
上記第２の移動体より返信されるデータを上記第１の移動体に送信する
ことを特徴とするデータ送受信方法。
【請求項２４】
複数の移動体に関する情報に応じて、第１の移動体より送信されてきた第１のリクエスト信号に含まれる位置情報に応じた第２の移動体を検索し、
上記検索された第２の移動体に送信する、上記第１の移動体に関する情報を含む第２のリクエスト信号を生成し、
上記第２のリクエスト信号を上記検索された第２の移動体に送信する
ことを特徴とするデータ送受信方法。
【請求項２５】
外部装置に対してデータを要求する際には、位置情報を取得するステップと、
上記位置情報を含む第１のリクエスト信号を外部装置に送信するステップと、
上記第１のリクエスト信号に応じて上記外部装置より返信されたデータを受信するステップと、
外部装置に対してデータを提供する際には、上記外部装置より送信されてきた第２のリクエスト信号を受信するステップと、
上記第２のリクエスト信号に応じて入力された上記データを上記外部装置に返信するステップと
を含むプログラムを情報処理装置に実行させる媒体。
【請求項２６】
他の移動体装置にて取得したデータを要求する際には、位置情報を取得するステップと、
上記位置情報を含む第１のリクエスト信号を外部装置に送信するステップと、
上記第１のリクエスト信号に応じて上記他の移動体装置より送信されたデータを受信するステップと、
上記他の移動体装置に対してデータを提供する際には、外部装置より送信されてきた上記他の移動体装置に関する情報を含む第２のリクエスト信号を受信するステップと、
上記第２のリクエスト信号に応じて入力された上記データを上記他の移動体装置に返信するステップと
を含むプログラムを情報処理装置に実行させる媒体。
【請求項２７】
複数の移動体に関する情報に応じて、第１の移動体より送信されてきた第１のリクエスト信号に含まれる位置情報に応じた第２の移動体を検索するステップと、
上記検索された第２の移動体に送信する第２のリクエスト信号を生成するステップと、
上記第２のリクエスト信号を上記検索された第２の移動体に送信するステップと、
上記第２の移動体より返信されるデータを上記第１の移動体に送信するステップと
を含むプログラムを情報処理装置に実行させる媒体。
【請求項２８】
複数の移動体に関する情報に応じて、第１の移動体より送信されてきた第１のリクエスト信号に含まれる位置情報に応じた第２の移動体を検索するステップと、
上記検索された第２の移動体に送信する、上記第１の移動体に関する情報を含む第２のリクエスト信号を生成するステップと、
上記第２のリクエスト信号を上記検索された第２の移動体に送信するステップと
を含むプログラムを情報処理装置に実行させる媒体。
【手続補正３】
【補正対象書類名】明細書
【補正対象項目名】０００１
【補正方法】変更
【補正の内容】
【０００１】
【発明の属する技術分野】
本発明は、通信端末として移動体端末が用いられる移動体通信システムに好適な移動体装置、サーバ装置及びデータ送受信方法、並びに媒体に関する。
【手続補正４】
【補正対象書類名】明細書
【補正対象項目名】０００７
【補正方法】変更
【補正の内容】
【０００７】
そこで、本発明はこのような状況に鑑みてなされたものであり、例えば、ある移動体端末が進む進路上の所望の位置の様子を容易に取得すること、言い換えれば、ある位置に存在する移動体端末が取得した情報を、必要に応じて別の位置の移動体端末に提供することを可能とする移動体装置、サーバ装置及びデータ送受信方法、並びに媒体を提供することを目的とする。
【手続補正５】
【補正対象書類名】明細書
【補正対象項目名】０００８
【補正方法】変更
【補正の内容】
【０００８】
【課題を解決するための手段】
本発明に係る移動体装置は、位置情報を取得する位置情報取得手段と、上記位置情報取得手段により取得された上記位置情報を含む第１のリクエスト信号を生成する信号生成手段と、データを入力する入力手段と、外部装置との間で信号を通信する通信手段とを備え、上記外部装置に対してデータを要求する際には、上記通信手段は、上記位置情報を含む第１のリクエスト信号を当該外部装置に送信すると共に、上記第１のリクエスト信号に応じて当該外部装置より返信されたデータを受信し、上記外部装置に対してデータを提供する際には、上記通信手段は、当該外部装置より送信されてきた第２のリクエスト信号を受信すると共に、当該第２のリクエスト信号に応じて上記入力手段により入力された上記データを当該外部装置に返信することを特徴とする。
【手続補正６】
【補正対象書類名】明細書
【補正対象項目名】０００９
【補正方法】変更
【補正の内容】
【０００９】
本発明に係る移動体装置は、更に、上記位置情報より上記移動体装置本体の移動進路を予測する予測手段を備え、上記位置情報には上記移動進路の情報が含まれる。
【手続補正７】
【補正対象書類名】明細書
【補正対象項目名】００１０
【補正方法】変更
【補正の内容】
【００１０】
本発明に係る移動体装置は、更に、過去に上記移動体装置が移動した複数の経路情報を記憶する蓄積装置を備え、上記予測手段は、上記位置情報取得手段により取得された上記移動体装置の位置情報と重なる経路情報を上記複数の経路情報から抽出し、当該抽出された経路情報に基づいて上記移動体装置の移動進路を予測し、上記移動体装置の位置情報を上記予測された移動進路の情報に更新する。
【手続補正８】
【補正対象書類名】明細書
【補正対象項目名】００１１
【補正方法】変更
【補正の内容】
【００１１】
また、本発明に係る他の移動体装置は、位置情報を取得する位置情報取得手段と、上記位置情報取得手段により取得された位置情報を含む第１のリクエスト信号を生成する信号生成手段と、データを入力する入力手段と、外部装置又は他の移動体装置との間で信号を通信する通信手段とを備え、他の移動体装置にて取得したデータを要求する際には、上記通信手段は、上記位置情報を含む第１のリクエスト信号を上記外部装置に送信すると共に、上記第１のリクエスト信号に応じて上記他の移動体装置より送信されたデータを受信し、他の移動体装置に対してデータを提供する際には、上記外部装置より送信されてきた上記他の移動体装置に関する情報を含む第２のリクエスト信号を受信すると共に、当該第２のリクエスト信号に応じて上記入力手段により入力された上記データを上記他の移動体装置に返信する。
【手続補正９】
【補正対象書類名】明細書
【補正対象項目名】００１２
【補正方法】変更
【補正の内容】
【００１２】
本発明に係る他の移動体装置は、更に、上記位置情報より上記移動体装置本体の移動進路を予測する予測手段を備え、上記位置情報には上記移動進路の情報が含まれる。
【手続補正１０】
【補正対象書類名】明細書
【補正対象項目名】００１３
【補正方法】変更
【補正の内容】
【００１３】
本発明に係る他の移動体装置は、更に、過去に上記移動体装置が移動した複数の経路情報を記憶する蓄積装置を備え、上記予測手段は、上記位置情報取得手段により取得された上記移動体装置の位置情報と重なる経路情報を上記複数の経路情報から抽出し、当該抽出された経路情報に基づいて上記移動体装置の移動進路を予測し、上記移動体装置の位置情報を上記予測された移動進路の情報に更新する。
【手続補正１１】
【補正対象書類名】明細書
【補正対象項目名】００１４
【補正方法】変更
【補正の内容】
【００１４】
また、本発明に係るサーバ装置は、複数の移動体との間で信号の通信可能な通信手段と、上記複数の移動体に関する情報を保持する保持手段と、上記保持手段に保持されている複数の移動体に関する情報を用い、第１の移動体より送信されてきた第１のリクエスト信号に含まれる位置情報に応じた第２の移動体を検索する検索手段と、上記検索された第２の移動体に送信する第２のリクエスト信号を生成する生成手段とを備え、上記第２のリクエスト信号を上記検索された第２の移動体に送信すると共に、当該第２の移動体より返信されるデータを上記第１の移動体に返信する。
【手続補正１２】
【補正対象書類名】明細書
【補正対象項目名】００１５
【補正方法】変更
【補正の内容】
【００１５】
本発明に係るサーバ装置は、更に、上記第２の移動体から返信された上記データを蓄積する蓄積手段を備える。
【手続補正１３】
【補正対象書類名】明細書
【補正対象項目名】００１６
【補正方法】変更
【補正の内容】
【００１６】
本発明に係る他のサーバ装置は、複数の移動体との間で信号の通信可能な通信手段と、上記複数の移動体に関する情報を保持する保持手段と、上記保持手段に保持されている複数の移動体に関する情報を用い、第１の移動体より送信されてきた第１のリクエスト信号に含まれる位置情報に応じた第２の移動体を検索する検索手段と、上記検索された第２の移動体に送信する、上記第１の移動体に関する情報を含む第２のリクエスト信号を生成する生成手段とを備え、上記第２のリクエスト信号を上記検索された第２の移動体に送信する。
【手続補正１４】
【補正対象書類名】明細書
【補正対象項目名】００１７
【補正方法】変更
【補正の内容】
【００１７】
本発明に係るデータ送受信方法は、外部装置に対してデータを要求する際には、位置情報を取得し、上記位置情報を含む第１のリクエスト信号を外部装置に送信し、上記第１のリクエスト信号に応じて上記外部装置より返信されたデータを受信し、外部装置に対してデータを提供する際には、上記外部装置より送信されてきた第２のリクエスト信号を受信し、上記第２のリクエスト信号に応じて入力された上記データを上記外部装置に返信する。
【手続補正１５】
【補正対象書類名】明細書
【補正対象項目名】００１８
【補正方法】変更
【補正の内容】
【００１８】
本発明に係る他のデータ送受信方法は、他の移動体装置にて取得したデータを要求する際には、位置情報を取得し、上記位置情報を含む第１のリクエスト信号を外部装置に送信し、上記第１のリクエスト信号に応じて上記他の移動体装置より送信されたデータを受信し、上記他の移動体装置に対してデータを提供する際には、外部装置より送信されてきた上記他の移動体装置に関する情報を含む第２のリクエスト信号を受信し、上記第２のリクエスト信号に応じて入力された上記データを上記他の移動体装置に返信する。
【手続補正１６】
【補正対象書類名】明細書
【補正対象項目名】００１９
【補正方法】変更
【補正の内容】
【００１９】
本発明に係る更に他のデータ送受信方法は、複数の移動体に関する情報に応じて、第１の移動体より送信されてきた第１のリクエスト信号に含まれる位置情報に応じた第２の移動体を検索し、上記検索された第２の移動体に送信する第２のリクエスト信号を生成し、上記第２のリクエスト信号を上記検索された第２の移動体に送信し、上記第２の移動体より返信されるデータを上記第１の移動体に送信する。
【手続補正１７】
【補正対象書類名】明細書
【補正対象項目名】００２０
【補正方法】変更
【補正の内容】
【００２０】
本発明に係る更に他のデータ送受信方法は、複数の移動体に関する情報に応じて、第１の移動体より送信されてきた第１のリクエスト信号に含まれる位置情報に応じた第２の移動体を検索し、上記検索された第２の移動体に送信する、上記第１の移動体に関する情報を含む第２のリクエスト信号を生成し、上記第２のリクエスト信号を上記検索された第２の移動体に送信する。
【手続補正１８】
【補正対象書類名】明細書
【補正対象項目名】００２１
【補正方法】変更
【補正の内容】
【００２１】
本発明は、さらに、情報処理装置に実行させるためのプログラムを記録した媒体であって、外部装置に対してデータを要求する際には、位置情報を取得するステップと、上記位置情報を含む第１のリクエスト信号を外部装置に送信するステップと、上記第１のリクエスト信号に応じて上記外部装置より返信されたデータを受信するステップと、外部装置に対してデータを提供する際には、上記外部装置より送信されてきた第２のリクエスト信号を受信するステップと、上記第２のリクエスト信号に応じて入力された上記データを上記外部装置に返信するステップとを含むプログラムが記録されている。
【手続補正１９】
【補正対象書類名】明細書
【補正対象項目名】００２２
【補正方法】変更
【補正の内容】
【００２２】
本発明は、さらに、情報処理装置に実行させるためのプログラムを記録した媒体であって、他の移動体装置にて取得したデータを要求する際には、位置情報を取得するステップと、上記位置情報を含む第１のリクエスト信号を外部装置に送信するステップと、上記第１のリクエスト信号に応じて上記他の移動体装置より送信されたデータを受信するステップと、上記他の移動体装置に対してデータを提供する際には、外部装置より送信されてきた上記他の移動体装置に関する情報を含む第２のリクエスト信号を受信するステップと、上記第２のリクエスト信号に応じて入力された上記データを上記他の移動体装置に返信するステップとを含むプログラムが記録されている。
【手続補正２０】
【補正対象書類名】明細書
【補正対象項目名】００２３
【補正方法】変更
【補正の内容】
【００２３】
本発明は、さらに、情報処理装置に実行させるためのプログラムを記録した媒体であって、複数の移動体に関する情報に応じて、第１の移動体より送信されてきた第１のリクエスト信号に含まれる位置情報に応じた第２の移動体を検索するステップと、上記検索された第２の移動体に送信する第２のリクエスト信号を生成するステップと、上記第２のリクエスト信号を上記検索された第２の移動体に送信するステップと、上記第２の移動体より返信されるデータを上記第１の移動体に送信するステップとを含むプログラムが記録されている。
【手続補正２１】
【補正対象書類名】明細書
【補正対象項目名】００２４
【補正方法】変更
【補正の内容】
【００２４】
本発明は、さらに、情報処理装置に実行させるためのプログラムを記録した媒体であって、複数の移動体に関する情報に応じて、第１の移動体より送信されてきた第１のリクエスト信号に含まれる位置情報に応じた第２の移動体を検索するステップと、上記検索された第２の移動体に送信する、上記第１の移動体に関する情報を含む第２のリクエスト信号を生成するステップと、上記第２のリクエスト信号を上記検索された第２の移動体に送信するステップとを含むプログラムが記録されている。
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】